(57)【要約】【課題】２次元コードに変換した商品データを所定単位毎に分割し、各分割コードをシンボル印刷することによって得られた印刷物を商品として販売する場合でも、顧客側においては商品データの一連性を損なうことなく再生可能であると共に、正当な顧客のみに商品データの再生を可能とする。【解決手段】商品作成装置１は、２次元コードに変換した商品データを所定単位毎に分割すると共に、この分割状態を示す分割情報を生成して対応する分割コードに付加し、この分割情報付の各分割コードを秘密鍵に用いて暗号化した後にシンボル印刷した印刷物を商品とし、顧客装置２は、この印刷物からシンボル印刷毎に読み取った分割情報付の各分割コードを秘密鍵によって復号化した後に、各分割コードを分割情報に基づいて結合編集することによって得られた一連の商品データを再生出力する。【選択図】  図１
2004348538.tif 000002
【特許請求の範囲】
【請求項１】
無形商品を製作する場合に、この商品データを２次元コードに変換すると共に、この２次元コードを所定単位毎に分割し、各分割コードをシンボル印刷することによって得られた印刷物を商品として作成する商品作成装置と、顧客側で当該印刷物からシンボル印刷毎に読み取った各分割コードを再生出力する顧客装置とを備え、シンボル印刷物を媒体として商品を流通する商品流通システムであって、
前記商品作成装置は、各分割コードにその分割状態を示す分割情報を生成して対応する分割コードに付加する分割情報生成手段と、前記分割情報付の各分割コードを秘密鍵によって暗号化する暗号化手段と、この暗号化手段によって暗号化された分割情報付の各分割コードをシンボル印刷する印刷手段とを備え、
前記顧客装置は、印刷物からシンボル印刷毎に読み取った分割情報付の各分割コードを秘密鍵によって復号化する復号化手段と、この復号化手段によって復号化された分割情報付の各分割コードを当該分割情報に基づいて結合編集する編集手段と、この編集手段によって結合編集された一連の商品データを再生出力する出力手段とを備えた、
ことを特徴とする商品流通システム。
【請求項２】
顧客側において以前購入した商品に添付されていた秘密鍵を読み取って保存登録している状態において、前記顧客装置は、前記保存されている秘密鍵を用いて分割情報付の各分割コードを復号化する、
ようにしたことを特徴とする請求項１記載の商品流通システム。
【請求項３】
前記商品作成装置は、以前に作成した元の商品に追加するデータが有る場合に、この追加データを２次元コードに変換すると共に、この２次元コードを所定単位毎に分割し、この各分割コードにその分割状態を示す分割情報を付加した後に、前記秘密鍵によって暗号化された分割情報付の各分割コードをシンボル印刷し、
前記顧客装置は、印刷物からシンボル印刷毎に読み取った分割情報付の各分割コードを前記秘密鍵によって復号化すると共に、復号化された分割情報付の各分割コードを当該分割情報に基づいて結合編集することによって得られた一連の追加データを再生出力する、
ようにしたことを特徴とする請求項１記載の商品流通システム。
【請求項４】
前記商品作成装置は、以前に作成した元の商品の一部を変更する場合に、この変更データを２次元コードに変換すると共に、この２次元コードを所定単位毎に分割し、この各分割コードにその分割状態を示す分割情報を付加すると共に前記元の商品データの変更部分を指定する変更指定情報を付加し、この変更指定情報および分割情報を含めて暗号化された各分割コードをシンボル印刷し、
前記顧客装置は、印刷物からシンボル印刷毎に読み取った変更指定情報および分割情報を含めて復号化し、この変更指定情報に基づいて元の商品データの変更部分を特定し、この特定部分に該当する変更前データを前記分割情報に基づいて結合編集された変更後のデータに置き換えて再生出力する、
ようにしたことを特徴とする請求項１記載の商品流通システム。
【請求項５】
コンピュータに対して、
無形商品を製作する場合に、この商品データを２次元コードに変換すると共に、この２次元コードを所定単位毎に分割し、各分割コードにその分割状態を示す分割情報を生成して対応する分割コードに付加する機能と、
前記分割情報付の各分割コードを秘密鍵によって暗号化する機能と、
暗号化された分割情報付の各分割コードをシンボル印刷する機能と、
この印刷物からシンボル印刷毎に読み取った分割情報付の各分割コードを秘密鍵によって復号化する機能と、
復号化された分割情報付の各分割コードを当該分割情報に基づいて結合編集する機能と、
結合編集された一連の商品データを再生出力する機能と、
を実現させるためのプログラム。
【発明の詳細な説明】
【０００１】
【発明の属する技術分野】
この発明は、２次元コードに変換した商品データをシンボル印刷する商品作成装置と、顧客側で当該印刷物から読み取った各分割コードを再生する顧客装置とを備え、シンボル印刷物を媒体として商品を流通する商品流通システムおよびプログラムに関する。
【０００２】
【従来の技術】
一般に、２次元コードとしては、例えば、ＰＤＦ４１７コード、ＱＲコード等が存在するが、バーコードと比較して大量のデータをシンボル化することができ、数字、記号の他に、文字列や文章であってもシンボル化することが可能である為、益々、その利用範囲が広がって来ている。
例えば、従来においては、文書ファイルの中のＵＲＬを２次元コード画像に変換して印刷すると共に、印刷された２次元コードをカメラで撮影し、この２次元コードを復号化してＵＲＬを取得する情報閲覧システムが知られている（特許文献１参照）。
【０００３】
【特許文献１】
特開平１１−２０３３８１号公報
【０００４】
【発明が解決しようとする課題】
ところで、２次元コードは、上述のように大量のデータをシンボル化することができる為、文字列や文章以外の画像データや音楽データであっても容易にシンボル化すること可能であるが、データ量の多い画像データや音楽データの全てを１シンボル内に収めることは物理的に困難となる。そこで、画像データや音楽データを複数のシンボルに分けて印刷することも考えられるが、各分割シンボルを読み取って再生する際に、各分割シンボルをバラバラに読み取ってしまうと、画像データや音楽データの一連性を損い、再生不能を招いてしまう。
また、各分割シンボルを誰でも自由に読み取って再生可能であることは、印刷物を媒体として画像や音楽等の無形商品として販売する場合に問題が残る。
【０００５】
この発明の課題は、２次元コードに変換した商品データを所定単位毎に分割し、各分割コードをシンボル印刷することによって得られた印刷物を商品として流通する場合でも、顧客側においては商品データの一連性を損なうことなく再生可能であると共に、正当な顧客のみに商品データの再生を可能とする商品流通システムを提供できるようにすることである。
【０００６】
【課題を解決するための手段】
請求項１記載の発明は、無形商品を製作する場合に、この商品データを２次元コードに変換すると共に、この２次元コードを所定単位毎に分割し、各分割コードをシンボル印刷することによって得られた印刷物を商品として作成する商品作成装置と、顧客側で当該印刷物からシンボル印刷毎に読み取った各分割コードを再生出力する顧客装置とを備え、シンボル印刷物を媒体として商品を流通する商品流通システムであって、前記商品作成装置は、各分割コードにその分割状態を示す分割情報を生成して対応する分割コードに付加する分割情報生成手段と、前記分割情報付の各分割コードを秘密鍵によって暗号化する暗号化手段と、この暗号化手段によって暗号化された分割情報付の各分割コードをシンボル印刷する印刷手段とを備え、前記顧客装置は、印刷物からシンボル印刷毎に読み取った分割情報付の各分割コードを秘密鍵によって復号化する復号化手段と、この復号化手段によって復号化された分割情報付の各分割コードを当該分割情報に基づいて結合編集する編集手段と、この編集手段によって結合編集された一連の商品データを再生出力する出力手段とを備えたことを特徴とするものである。
更に、コンピュータに対して、上述した請求項１記載の発明に示した主要機能を実現させるためのプログラムを提供する（請求項５記載の発明）。
【０００７】
したがって、請求項１、５記載の発明において商品作成装置は、２次元コードに変換した商品データを所定単位毎に分割すると共に、この分割状態を示す分割情報を生成して対応する分割コードに付加し、この分割情報付の各分割コードを秘密鍵に用いて暗号化した後にシンボル印刷することによって得られた印刷物を商品とし、顧客装置は、この印刷物からシンボル印刷毎に読み取った分割情報付の各分割コードを秘密鍵によって復号化した後に、各分割コードを分割情報に基づいて結合編集することによって得られた一連の商品データを再生出力するようにしたから、商品データの一連性を損なうことなく、正当な顧客のみに商品データの再生を可能とすることができ、シンボル印刷物を媒体として商品を流通する場合でも合理的な販売を実現することができる。
【０００８】
なお、請求項１記載の発明は次のようなものであってもよい。
顧客側において以前購入した商品に添付されていた秘密鍵を読み取って保存登録している状態において、前記顧客装置は、前記保存されている秘密鍵を用いて分割情報付の各分割コードを復号化する（請求項２記載の発明）。
したがって、請求項２記載の発明によれば、請求項１記載の発明と同様の効果を有する他に、以前購入した商品に添付されていた秘密鍵を読み取って保存登録しておくだけで、当該秘密鍵を用いて各分割コードの復号化を行うようにしたから、例えば、以前に購入実績がある固定客あるいは以前に購入した元の商品に追加するデータが有る場合や元の商品の一部を変更するデータが有る場合に、その都度、顧客との間で秘密鍵を受け渡す必要はなく、安全かつ確実な販売が可能となる。
【０００９】
前記商品作成装置は、以前に作成した元の商品に追加するデータが有る場合に、この追加データを２次元コードに変換すると共に、この２次元コードを所定単位毎に分割し、この各分割コードにその分割状態を示す分割情報を付加した後に、前記秘密鍵によって暗号化された分割情報付の各分割コードをシンボル印刷し、前記顧客装置は、印刷物からシンボル印刷毎に読み取った分割情報付の各分割コードを前記秘密鍵によって復号化すると共に、復号化された分割情報付の各分割コードを当該分割情報に基づいて結合編集することによって得られた一連の追加データを再生出力する（請求項３記載の発明）。
したがって、請求項３記載の発明によれば、請求項１記載の発明と同様の効果を有する他に、以前に作成した元の商品に追加するデータが有る場合でも、この追加データを２次元コードのシンボル印刷を媒体として顧客に提供することができる。
【００１０】
前記商品作成装置は、以前に作成した元の商品の一部を変更する場合に、この変更データを２次元コードに変換すると共に、この２次元コードを所定単位毎に分割し、この各分割コードにその分割状態を示す分割情報を付加すると共に前記元の商品データの変更部分を指定する変更指定情報を付加し、この変更指定情報および分割情報を含めて暗号化された各分割コードをシンボル印刷し、前記顧客装置は、印刷物からシンボル印刷毎に読み取った変更指定情報および分割情報を含めて復号化し、この変更指定情報に基づいて元の商品データの変更部分を特定し、この特定部分に該当する変更前データを前記分割情報に基づいて結合編集された変更後のデータに置き換えて再生出力する（請求項４記載の発明）。
【００１１】
したがって、請求項４記載の発明によれば、請求項１記載の発明と同様の効果を有する他に、以前に作成した元の商品の一部を変更する場合でも、この変更データを２次元コードのシンボル印刷を媒体として顧客に提供することができると共に、元の商品データの変更前データを変更後のデータに置き換えて再生することができる。
【００１２】
【発明の実施の形態】
以下、図１〜図１０を参照してこの発明の一実施形態を説明する。
図１は、この実施形態の商品流通システムにおいて商品データの作成販売とその購入再生の流れを示した図である。
この商品流通システムは、画像データ／音楽データを販売対象商品として製作する商品作成装置１と、各顧客所持の顧客装置２とを備え、印刷物を媒体として商品（画像データ／音楽データ）を流通するシステムであり、商品作成装置１は、無形商品である画像データ／音楽データを２次元コード（例えば、ＰＤＦ４１７コード、ＱＲコード等）に変換してシンボル印刷し、このシンボル印刷物を顧客宛に郵送したり、ファクシミリ送信することによって顧客へ商品を配布するようにしたものである。
【００１３】
この実施形態において、商品データを２次元コードパターンとしてシンボル印刷して商品化するのは、以前に作成した元の商品（以前に店頭にて販売した商品）に対して画像／音楽データを追加する場合や元の商品の一部を変更する場合である。すなわち、店頭にて商品を販売した後において、この元の商品に画像／音楽データを追加する場合や元の商品の一部（画像／音楽データ）を変更する場合に、その追加データや変更データを２次元コードパターンとしてシンボル印刷し、この印刷物を当該顧客へ配布するようにしている。
【００１４】
先ず、商品作成装置１は、店頭販売する商品（ＣＤ／ＤＶＤ等あるいはその外装ケース）に当該商品固有の「秘密鍵」を２次元コードパターンとしてシンボル印刷する。なお、ＣＤ／ＤＶＤ等は、複数枚分の画像データあるいは複数曲分の音楽データが格納可能なもので、各画像データ／音楽データには、識別情報としての画像Ｎｏ／音楽Ｎｏがそれぞれ付加されている。
一方、店舗にて商品を購入した顧客は、その顧客装置２を使用してその画像／音楽データを順次再生するが、その際、当該商品に添付されているシンボル印刷（秘密鍵）をイメージスキャナによって読み取って保存登録するようにしている。この秘密鍵は、暗号化されてシンボル印刷されている追加データあるいは変更データを復元化する際に使用される復元用の鍵である。
【００１５】
商品作成装置１は、元の商品に対して画像／音楽データを追加作成する場合に、この追加データを２次元コードに変換すると共に、この２次元コードを所定単位毎に分割し、各分割コードにその分割状態を示す後述の分割情報（図２参照）を生成して対応する分割コードに付加すると共に、この分割情報付の各分割コードを上述の秘密鍵によって暗号化した後にシンボル印刷するようにしている。ここで、顧客装置２は、この印刷物からシンボル印刷毎に読み取った分割情報付の各分割コードを上述の秘密鍵を用いて復号化した後に、各分割コードを分割情報に基づいて結合編集し、これによって得られた一連の追加データを再生出力するようにしている。
【００１６】
また、商品作成装置１は、元の商品の一部を変更する場合において、つまり、変更対象が画像データであれば、画像１枚単位毎に変更し、また、変更対象が音楽データであれば、１曲単位毎に変更する場合において、この変更データを２次元コードに変換すると共に、この２次元コードを所定単位毎に分割し、各分割コードにその分割状態を示す後述の分割情報（図２参照）を生成して対応する分割コードに付加すると共に、この分割情報付の各分割コードを上述の秘密鍵によって暗号化する。その際、商品作成装置１は、元の商品データのうちその変更部分を指定する変更指定情報（変更対象を指定する元の画像Ｎｏ／音楽Ｎｏ）を生成し、この変更指定情報を含めて暗号化し、この変更指定情報および分割情報付の各分割コードをシンボル印刷するようにしている。
【００１７】
ここで、顧客装置２は、印刷物からシンボル印刷毎に読み取った変更指定情報および分割情報を含めて各分割コードを上述の秘密鍵を用いて復号化した後に、この変更指定情報に基づいて販売済み商品データ（元の商品データ）の変更部分を特定すると共に、各分割コードを分割情報に基づいて結合編集し、この特定部分のデータ（変更前データ）を結合編集された変更後のデータに置き換えて再生出力するようにしている。つまり、顧客装置２は、印刷物からの読み取りデータに基づいて元の商品データの一部を変更して元の商品データを再生出力するようにしている。
【００１８】
図２は、２次元コードを所定単位毎に分割した各分割コードに付加される分割情報を説明する為の図であり、この１レコード分の内容が分割情報として対応する分割コードに付加される。
この分割情報は、追加データを作成する毎あるいは変更データを作成する毎に、生成されたもので、「画像Ｎｏ／音楽Ｎｏ」、「分割形態」、「分割数」、「分割Ｎｏ」の各項目を有する構成となっている。ここで、「画像Ｎｏ／音楽Ｎｏ」は、データ追加／変更の対象となる商品を識別する為の情報である。なお、この実施形態においては、データの追加／変更を画像単位／音楽単位毎に行うようにしている為に、「画像Ｎｏ／音楽Ｎｏ」を追加／変更する対象を指定する情報としている。
【００１９】
「分割形態」は、追加データ／変更データを２次元コードに変換した後に、この２次元コードを所定単位毎に分割した際の分割方法を示したもので、この実施形態では、分割対象が画像データであれば、１枚分の画像データを物理的に複数枚に分割するタイル分割方法、色情報に基づいて複数枚に分割する色分割方法のうち、何れの分割方法で画像データを分割したかを示している。また、分割対象が音楽データであれば、１曲分の音楽データを演奏パートで分割する方法、小節毎に分割する方法のうち、何れの分割方法で音楽データを分割したかを示している。
【００２０】
「分割数」は、上述のようにして１枚の画像データあるいは１曲分の音楽データを分割した場合の分割合計値を示している。ここで、追加データ／変更データを２次元コードに変換した後に、この２次元コードを所定単位毎に分割する際には、各分割コードが１シンボル内に収まるように分割するようにしているが、例えば、音楽データを小節単位で分割した際に、１小節分のデータが１シンボル内に収めることができない場合には、この１小節分のデータを更に複数のシンボルに分けて印刷するようにしている。
【００２１】
図３は、１曲分の音楽データを分割した場合の分割状態を例示した図である。
すなわち、１曲分の音楽データを小節単位で分割した際に、１小節〜４小節分のデータは、１シンボル毎に分割されるが、２小節目のデータが１シンボル内に収めることができなかった場合において、この２小節目のデータを２つのシンボルに分割した場合を示している。ここで、「分割Ｎｏ」は、各分割コードの並び順（結合関係）を示すもので、図３の場合には、１小節目のデータに対応する「分割Ｎｏ」は、“１”、２小節目のデータに対応する「分割Ｎｏ」は、“２−１”、“２−２”、３小節目のデータに対応する「分割Ｎｏ」としては、“３”、４小節目のデータに対応する「分割Ｎｏ」は、“４”となる。なお、２小節目のデータに対応する「分割Ｎｏ」としては、“２”は存在せず、サブＮｏ付きの“２−１”、“２−２”となっている。
【００２２】
図４は、商品作成装置１の基本的構成要素を示したブロック図である。
ＣＰＵ１１は、記憶装置２内のオペレーティングシステムや各種アプリケーションソフトにしたがってこの商品作成装置１の全体動作を制御する中央演算処理装置である。記憶装置１２は、プログラム記憶領域とデータ記憶領域とを有し、磁気的、光学的、半導体メモリ等やその駆動系によって構成されている。この記録装置１２はハードディスク等の固定的なメモリの他、ＣＤ−ＲＯＭ、ＤＶＤ等の着脱自在な記憶媒体を装着可能な構成であってもよい。この記憶装置１２内のプログラムやデータは、必要に応じてＲＡＭ（例えば、スタティックＲＡＭ）１３にロードされたり、ＲＡＭ１３内のデータが記憶装置１２にセーブされる。なお、ＲＡＭ１３は、プログラム実行領域と作業領域とを有している。一方、ＣＰＵ１１にはその入出力周辺デバイスである通信装置１４、入力装置１５、表示装置１６、印刷装置１７がバスラインを介して接続されており、入出力プログラムにしたがってＣＰＵ１１はそれらの動作を制御する。印刷装置１７は熱転写やインクジェットなどのノンインパクトプリンタあるいはドットインパクトプリンタであり、画像データや音楽データをシンボル印刷して印刷物を発行する。
【００２３】
図５は、顧客装置２の基本的構成要素を示したブロック図である。
この顧客装置２の構成要素も、上述した商品作成装置１と基本的に同様のＣＰＵ２１、記憶装置２２、ＲＡＭ２３、通信装置２４、入力装置２５、表示装置２６の他に、イメージスキャナ２７、スピーカ２８を有する構成となっている。表示装置２６は、画像データをカラー表示して再生し、スピーカ２８は、音楽データを再生出力する。イメージスキャナ２７は、ＣＭＯＳイメージセンサを備えたイメージキャプチャ式のバーコードスキャナ、デジタルスチルカメラを使用したスキャナ等であり、配布された印刷物からシンボル印刷部分の読み取りを行う。
【００２４】
次に、この実施形態における商品作成装置１および顧客装置２の動作概念を図６〜図８に示すフローチャートを参照して説明する。ここで、これらのフローチャートに記述されている各機能は、読み取り可能なプログラムコードの形態で格納されており、このプログラムコードにしたがった動作を逐次実行する。また、伝送媒体を介して伝送されてきた上述のプログラムコードにしたがった動作を逐次実行することもできる。すなわち、記録媒体の他、伝送媒体を介して外部供給されたプログラム／データを利用してこの実施形態特有の動作を実行することもできる。
【００２５】
図６（Ａ）は、商品作成装置１側において店頭にて販売する商品の作成過程を示したフローチャートであり、図６（Ｂ）は、顧客装置２側において店頭にて商品を購入した顧客側の作業過程を示したフローチャートである。
先ず、商品作成装置１は、店頭にて販売する画像／音楽データをＣＤ／ＤＶＤ等に格納して商品化する（ステップＡ１）。この際、ＣＤ／ＤＶＤ等に格納された複数の画像データ／音楽データには、対応する画像Ｎｏ／音楽Ｎｏがそれぞれ付加される。次に、商品作成装置１は、この商品固有の「秘密鍵」を作成すると共に（ステップＡ２）、この秘密鍵を２次元コードに変換し（ステップＡ３）、この２次元コードパターンをその商品（ＣＤ／ＤＶＤ等の表面あるいはその外装ケース）にシンボル印刷する（ステップＡ４）。
一方、店舗にて商品を購入した顧客は、その顧客装置２を使用してその画像／音楽データを順次再生する（ステップＢ１）。この際、この商品に添付されているシンボル印刷（秘密鍵）をイメージスキャナ２７によって読み取り（ステップＢ２）、この２次元コードをデコードし（ステップＢ３）、このデコード結果（秘密鍵）を保存登録しておく（ステップＢ４）。
【００２６】
図７は、商品作成装置１において、元の商品データ（以前に店頭販売した商品データ）に対して画像データ／音楽データを追加作成する場合の作成過程を示したフローチャートであり、図８は、顧客装置２において追加データを再生出力する場合の再生過程を示したフローチャートである。
先ず、商品作成装置１において、オペレータは、元の商品に追加するデータ（画像／音楽データ）を作成すると共に（図７のステップＡ１１）、この追加データを識別する為の固有の画像Ｎｏ／音楽Ｎｏを作成する（ステップＡ１２）。そして、この追加データを分割する為の分割方法を決定する（ステップＡ１３）。ここで、追加データが画像データであれば、１枚の画像データを物理的に複数枚に分割するタイル分割方法、色情報に基づいて複数枚に分割する色分割方法の何れかを決定し、また、追加データが音楽データであれば、１曲分の音楽データを演奏パートで分割する方法、小節毎に分割する方法の何れを決定する。
【００２７】
これによって決定された分割方法に基づいて商品作成装置１は、追加データを所定単位毎に分割すると共に（ステップＡ１４）、その分割情報として、「画像Ｎｏ／音楽Ｎｏ」、「分割形態」、「分割数」、「分割Ｎｏ」を分割データ毎に生成して（ステップＡ１５）、対応する分割データに付加する（ステップＡ１６）。そして、分割情報付の各分割データを元の商品の「秘密鍵」を使用して暗号化すると共に（ステップＡ１７）、暗号化された分割情報付の各分割データを２次元コードに変換し（ステップＡ１８）、この２次元コードパターンを分割数毎にシンボル印刷する（ステップＡ１９）。これによって画像１枚分／音楽１曲分の追加データの作成が終了すると、次の追加データがあるか否かを判別し（ステップＡ２０）、全ての追加データを作成するまでステップＡ１４に戻り、以下、上述の動作が繰り返される（ステップＡ１４〜Ａ２０）。そして、追加データの作成が完了すると、この印刷物を顧客宛に郵送あるいはファクシミリ送信する為の配送手配を行う（ステップＡ２１）。
【００２８】
一方、顧客装置２においては、オペレータからの読取指示に応答して（図８のステップＢ１１）、元の商品の再生時に保存登録しておいた秘密鍵を読み出した後（ステップＢ１２）、そのイメージスキャナ２７を作動させて配布印刷物からシンボル印刷毎に２次元コードパターンを読み取る動作を開始する（ステップＢ１３）。これによってシンボル毎に読み取られた各２次元コード（分割情報付の各分割コード）を秘密鍵によって復号化した後に（ステップＢ１４）、復号化された各分割情報を解析し（ステップＢ１５）、この解析結果に基づいて各分割データを画像１枚毎／音楽１曲毎に結合して一連の追加データに結合編集する処理を行う（ステップＢ１６〜Ｂ１９）。
【００２９】
すなわち、「画像Ｎｏ／音楽Ｎｏ」に基づいて画像１枚分／音楽１曲分の各分割データ（結合対象）を特定したり（ステップＢ１６）、「分割形態」に基づいて各分割データの結合方法を決定し（ステップＢ１７）、更に、「分割数」および「分割Ｎｏ」に基づいて各分割データの結合関係（結合順位）を決定した後（ステップＢ１８）、これに応じて各分割データを結合編集する（ステップＢ１９）。このような各分割データの結合編集処理は、全ての追加データに対する処理が終了するまで（ステップＢ２０）、画像１枚毎あるいは音楽１曲毎に行われる（ステップＢ１４〜Ｂ２０）。そして、結合編集された後のデータを保存登録すべきことがユーザ指示された場合には（ステップＢ２１）、この追加データを保存登録させ（ステップＢ２２）、また、追加データの再生がユーザ指示された場合には（ステップＢ２３）、この追加データを再生出力させる（ステップＢ２４）。
【００３０】
図９は、商品作成装置１において、元の商品データ（以前に店頭販売した商品データ）の一部を変更する場合に、この変更データの作成過程を示したフローチャートであり、図１０は、顧客装置２において変更データを再生出力する場合の再生過程を示したフローチャートである。
先ず、商品作成装置１において、オペレータは、元の商品の一部を画像単位／音楽単位毎に変更する場合には、その変更データ（画像／音楽データ）を作成すると共に（図９のステップＡ３１）、この変更対象の画像Ｎｏ／音楽Ｎｏを指定する（ステップＡ３２）。そして、この変更データを分割する為の分割方法を上述の場合と同様に決定する（ステップＡ３３）。
【００３１】
これによって決定された分割方法によって追加データを所定単位毎に分割すると共に（ステップＡ３４）、その分割情報として、「画像Ｎｏ／音楽Ｎｏ」、「分割形態」、「分割数」、「分割Ｎｏ」を分割データ毎に生成して（ステップＡ３５）、各分割データに付加する（ステップＡ３６）。そして、元の商品データの中から変更対象を指定する為にその画像Ｎｏ／音楽Ｎｏを取得し（ステップＡ３７）、この画像Ｎｏ／音楽Ｎｏを変更指定情報として対応する分割データに付加する（ステップＡ３８）。
【００３２】
そして、この変更指定情報および分割情報付の各分割データを元の商品の秘密鍵を使用して暗号化すると共に（ステップＡ３９）、暗号化された変更指定情報および分割情報付の各分割データを２次元コードに変換し（ステップＡ４０）、この２次元コードパターンを分割数毎にシンボル印刷する（ステップＡ４１）。これによって画像１枚分／音楽１曲分の変更データの作成が終了すると、次の変更データがあるか否かを判別し（ステップＡ４２）、全ての変更データを作成するまでステップＡ３１に戻り、以下、上述の動作が繰り返される（ステップＡ３１〜Ａ４２）。そして、変更データの作成が完了すると、この印刷物を顧客宛に郵送あるいはファクシミリ送信する為の配送手配を行う（ステップＡ４３）。
【００３３】
一方、顧客装置２においては、オペレータからの読取指示に応答して（図１０のステップＢ３１）、元の商品の再生時に保存登録しておいた秘密鍵を読み出した後（ステップＢ３２）、そのイメージスキャナ２７を作動させて配布印刷物からシンボル印刷毎に２次元コードパターンを読み取る動作を開始する（ステップＢ３３）。これによってシンボル毎に読み取られた各２次元コード（変更指定情報および分割情報付の各分割コード）を秘密鍵によって復号化した後に（ステップＢ３４）、復号化された各分割情報を解析し（ステップＢ３５）、この解析結果に基づいて各分割データを画像１枚毎／音楽１曲毎に結合して一連の変更データに編集する処理を行う（ステップＢ３６〜Ｂ３９）。
【００３４】
すなわち、「画像Ｎｏ／音楽Ｎｏ」に基づいて画像１枚分／音楽１曲分の各分割データ（結合対象）を特定したり（ステップＢ３６）、「分割形態」に基づいて各分割データの結合方法を決定し（ステップＢ３７）、更に、「分割数」および「分割Ｎｏ」に基づいて各分割データの結合関係（結合順位）を決定した後（ステップＢ３８）、これに応じて各分割データを結合編集する（ステップＢ３９）。このような各分割データの結合編集処理は、全ての変更データに対する処理が終了するまで（ステップＢ４０）、画像１枚毎／音楽１曲毎に行われる（ステップＢ３４〜Ｂ４０）。そして、結合編集された後の一連の変更データを元の商品データの変更部分と置き換える処理を行う。
【００３５】
先ず、変更指定情報を参照し、元の商品データの中から変更対象として指定されている画像Ｎｏ／音楽Ｎｏを検索し（ステップＢ４１）、この画像Ｎｏ／音楽Ｎｏに対応付けられている元の画像データ／音楽データを結合編集された後の一連の変更データに置き換える（ステップＢ４２）。この場合、このような置き換え処理は、画像単位／音楽単位毎に行われる。そして、変更された元の商品データを保存登録すべきことがユーザ指示された場合には（ステップＢ４３）、この変更後の商品データを保存登録させ（ステップＢ４４）、また、変更後の商品データの再生がユーザ指示された場合には（ステップＢ４５）、この商品データを再生出力させる（ステップＢ４６）。
【００３６】
以上のように、この実施形態において商品作成装置１は、２次元コードに変換した商品データを所定単位毎に分割すると共に、この分割状態を示す分割情報を生成して対応する分割コードに付加し、この分割情報付の各分割コードを秘密鍵に用いて暗号化した後にシンボル印刷することによって得られた印刷物を商品とし、顧客装置２は、この印刷物からシンボル印刷毎に読み取った分割情報付の各分割コードを秘密鍵によって復号化した後に、各分割コードを分割情報に基づいて結合編集することによって得られた一連の商品データを再生出力するようにしたから、商品データの一連性を損なうことなく、正当な顧客のみに商品データの再生を可能とすることができ、シンボル印刷物を媒体とする場合でも合理的な販売を実現することができる。
【００３７】
この場合、顧客側において以前、店舗にて商品を購入した際に、その商品に添付されていた秘密鍵を読み取って保存登録しておくだけで、この秘密鍵を用いて分割情報付の各分割コードを復号化するようにしたから、以前に購入実績がある固定客あるいは以前に購入した元の商品に追加するデータが有る場合や元の商品の一部を変更するデータが有る場合に、その都度、顧客との間で秘密鍵を受け渡す必要はなく、安全かつ確実な販売が可能となる。
また、以前に作成した元の商品に追加するデータが有る場合でも、この追加データを２次元コードのシンボル印刷を媒体として顧客に提供することができる。
【００３８】
また、以前に作成した元の商品の一部を変更する場合でも、この変更データを２次元コードのシンボル印刷を媒体として顧客に提供することができると共に、元の商品データの変更前データを変更後のデータに置き換えて再生することができる。この際、商品作成装置１は、変更データを２次元コードに変換すると共に、この２次元コードを所定単位毎に分割し、この各分割コードにその分割状態を示す分割情報を付加すると共に元の商品データの変更部分を指定する変更指定情報を付加し、この変更指定情報および分割情報を含めて暗号化された各分割コードをシンボル印刷し、顧客装置２は、印刷物からシンボル印刷毎に読み取った変更指定情報および分割情報を含めて復号化し、この変更指定情報に基づいて元の商品データの変更部分を特定し、この特定部分に該当する変更前データを分割情報に基づいて結合編集された変更後のデータに置き換えて再生出力すればよい。
【００３９】
なお、上述した実施形態においては、画像１枚分／音楽１曲分のデータを複数に分割するようにしたが、データ分割の仕方は任意であり、例えば、先頭から所定単位毎に順に分割するようにしてもよく、また、データ変更を画像単位／音楽単位毎に行わず、例えば、演奏楽器や歌い手のみが異なる音楽の場合あるいは同一背景で被写体のみが異なる画像の場合には、共通部分の変更を省略し、異なる部分のみを変更するようにしてもよい。
【００４０】
図１１は、画像単位／音楽単位毎にデータ変更を行わず、１画像分／１曲分の元データのうち、共通する部分の変更を省略し、異なる部分のみを変更する場合を例示したものである。この場合、元の商品データは、仮想的にデータ分割されていると共に、各分割データには、図示のような「分割Ｎｏ」が対応付けらているものとする。この状態において、「分割Ｎｏ」が“２−１”で示される分割データのみが異なり、他のデータは元データと共通している場合、商品作成装置１は、この「分割Ｎｏ」が“２−１”で示される分割データのみをシンボル印刷して配布する。すると、顧客装置２側では、この「分割Ｎｏ」に基づいて元の商品データの中から該当するデータ（変更前のデータ）を変更対象として特定し、このデータを変更後のデータと置き換えて再生出力すればよい。
【００４１】
また、上述した実施形態においては、データの追加／変更を例示したが、元の商品データを加工する場合にも適用可能である。この場合、元の画像に特殊効果を付与したり、元の音楽をアレンジする場合に、商品作成装置１は、この加工内容を示す加工データを複数に分割してシンボル印刷するようにしてもよい。この場合、顧客装置２側では、この加工データにしたがって元の商品データを加工すれるようにすればよい。
【００４２】
上述した実施形態においては、店舗販売する商品に秘密鍵を付加しておき、この商品を購入した顧客がこの商品から秘密鍵を読み取って保存登録するようにしたが、秘密鍵を不正に入手した第三者（非購入者）によるデータ復元を防止してセキュリティ対策を強化する為に、公開鍵暗号化方式を採用してもよい。すなわち、顧客は、商品の購入に先立って顧客固有の秘密鍵を商品作成装置１側に提供しておく。そして、商品作成装置１側では、この公開鍵を用いて秘密鍵を暗号化し、該当する顧客へ配布する。顧客側では、自己の公開鍵を使用してデータ復元用の秘密鍵を取得するようにすれば、秘密鍵を不正に入手した第三者（非購入者）によるデータ復元を防止することができる。
【００４３】
また、販売対象商品は、画像データ、音楽データ以外に文章データ等を商品として販売するようにしてもよい。
上述した実施形態においては、配布された印刷物からシンボルの読み取りと、データの再生とを同一の顧客装置２によって行うようにしたが、シンボルの読み取りと、データの再生とを別々の装置によって行うようにしてもよい。この場合、イメージ読取端末とデータ復元端末との間において、認証手続きを行うようにすればよい。
上述した商品作成装置１、顧客装置２は、スタンド・アローン・タイプに限らず、その各構成要素が２以上の筐体に物理的に分離され、通信回線やケーブル等の有線伝送路あるいは電波、マイクロウエーブ、赤外線等の無線伝送路を介してデータを送受信する分散型のコンピュータシステムを構成するものであってもよい。
【００４４】
一方、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。
すなわち、コンピュータが読み取り可能なプログラムコードを有する記録媒体であって、無形商品を製作する場合に、この商品データを２次元コードに変換すると共に、この２次元コードを所定単位毎に分割し、各分割コードにその分割状態を示す分割情報を生成して対応する分割コードに付加する機能と、前記分割情報付の各分割コードを秘密鍵によって暗号化する機能と、暗号化された分割情報付の各分割コードをシンボル印刷する機能と、この印刷物からシンボル印刷毎に読み取った分割情報付の各分割コードを秘密鍵によって復号化する機能と、復号化された分割情報付の各分割コードを当該分割情報に基づいて結合編集する機能と、結合編集された一連の商品データを再生出力する機能とを実現させるためのプログラムを記録したコンピュータが読み取り可能な記録媒体を提供するようにしてもよい。
【００４５】
【発明の効果】
この発明（請求項１記載の発明）によれば、商品作成装置は、２次元コードに変換した商品データを所定単位毎に分割すると共に、この分割状態を示す分割情報を生成して対応する分割コードに付加し、この分割情報付の各分割コードを秘密鍵に用いて暗号化した後にシンボル印刷することによって得られた印刷物を商品とし、顧客装置は、この印刷物からシンボル印刷毎に読み取った分割情報付の各分割コードを秘密鍵によって復号化した後に、各分割コードを分割情報に基づいて結合編集することによって得られた一連の商品データを再生出力するようにしたから、商品データの一連性を損なうことなく、正当な顧客のみに商品データの再生を可能とすることができ、シンボル印刷物を媒体とする場合でも合理的な販売を実現することができる。
【図面の簡単な説明】
【図１】商品流通システムにおいて商品データの作成販売とその購入再生の流れを示した図。
【図２】２次元コードに変換した商品データを所定単位毎に分割した場合の分割状態を示す分割情報を説明する為の図で、この１レコード分の内容が分割情報として対応する分割コードに付加されることを示した図。
【図３】１曲分の音楽データを分割した場合の分割状態を例示した図。
【図４】商品作成装置１の基本的構成要素を示したブロック図。
【図５】顧客装置２の基本的構成要素を示したブロック図。
【図６】（Ａ）は、商品作成装置１側において店頭にて販売する商品の作成過程を示したフローチャート、（Ｂ）は、顧客装置２側において店頭にて商品を購入した顧客側の作業過程を示したフローチャート。
【図７】商品作成装置１において、元の商品（以前に店頭販売した商品）に対して画像／音楽データを追加作成する場合の作成過程を示したフローチャート。
【図８】顧客装置２において追加データを再生出力する場合の再生過程を示したフローチャート。
【図９】商品作成装置１において、元の商品（以前に店頭販売した商品）の一部を変更する場合に、この変更データの作成過程を示したフローチャート。
【図１０】顧客装置２において変更データを再生出力する場合の再生過程を示したフローチャート。
【図１１】この実施形態の変形応用例を説明する為の図で、画像単位／音楽単位毎にデータ変更を行わず、１画像分／１曲分の元データの対して異なる部分のみを変更する場合を例示した図。
【符号の説明】
１  商品作成装置
２  顧客装置
１１、２１  ＣＰＵ
１２、２２  記憶装置
１４、２４  通信装置
１５、２５  入力装置
１６、２６  表示装置
１７  印刷装置
２７  イメージスキャナ
２８  スピーカ
【図１】
2004348538.tif 000003
【図２】
2004348538.tif 000004
【図３】
2004348538.tif 000005
【図４】
2004348538.tif 000006
【図５】
2004348538.tif 000007
【図６】
2004348538.tif 000008
【図７】
2004348538.tif 000009
【図８】
2004348538.tif 000010
【図９】
2004348538.tif 000011
【図１０】
2004348538.tif 000012
【図１１】
2004348538.tif 000013